(57)【要約】【課題】本発明は、プラズマ及び近赤外線を用いたスキンケア装置に関する。【解決手段】本発明に係るスキンケア装置は、ハンドヘルド形態の本体部；前記本体部の回転軸と連結されて回転可能であり、球形体の表面に複数のプラズマ放電溝及び複数の近赤外線照射溝が形成された球形体部；前記プラズマ放電溝とそれぞれ対応する誘電体プレート及び電極を備え、前記球形体部が回転しながら接触する皮膚に前記誘電体プレート及び電極に供給された電流による誘電体障壁放電を通して発生したプラズマを放電させるプラズマ放電部；前記近赤外線照射溝と連結された近赤外線光源を備え、前記球形体部が回転しながら接触する皮膚に前記近赤外線光源から発生した近赤外線を前記近赤外線照射溝を通して照射する近赤外線照射部；前記プラズマ放電部でのプラズマ放電と前記近赤外線照射部での近赤外線照射を制御する制御部；及び電源を供給する電源部を含む。【選択図】図１
2018000921.tif 000002
【特許請求の範囲】
【請求項１】
ハンドヘルド形態の本体部；
前記本体部の回転軸と連結されて回転可能であり、球形体の表面に複数のプラズマ放電溝及び複数の近赤外線照射溝が形成された球形体部；
前記プラズマ放電溝とそれぞれ対応する誘電体プレート及び電極を備え、前記球形体部が回転しながら接触する皮膚に前記誘電体プレート及び電極に供給された電流による誘電体障壁放電を通して発生したプラズマを放電させるプラズマ放電部；
前記近赤外線照射溝と連結された近赤外線光源を備え、前記球形体部が回転しながら接触する皮膚に前記近赤外線光源から発生した近赤外線を前記近赤外線照射溝を通して照射する近赤外線照射部；
前記プラズマ放電部でのプラズマ放電と前記近赤外線照射部での近赤外線照射を制御する制御部；及び
電源を供給する電源部
を含む、プラズマ及び近赤外線を用いたスキンケア装置。
【請求項２】
前記球形体部は、
既設定されたプラズマ発生条件に符合する深さを有する複数のプラズマ放電溝が球形体の表面に形成された少なくとも一対の球形体を含む、請求項１に記載のプラズマ及び近赤外線を用いたスキンケア装置。
【請求項３】
前記球形体部は、
前記少なくとも一対の球形体の間に位置し、前記本体部の回転軸と連結されて回転可能であり、複数のプラズマ放電溝及び複数の近赤外線照射溝が形成された少なくとも一つの他の球形体
をさらに含む、請求項２に記載のプラズマ及び近赤外線を用いたスキンケア装置。
【請求項４】
前記球形体部の球形体の表面が複数の縁層に区分され、前記区分された複数の縁層毎に複数のプラズマ放電溝がそれぞれ形成される、請求項１に記載のプラズマ及び近赤外線を用いたスキンケア装置。
【請求項５】
前記本体部の回転軸と連結された前記球形体部の部分が、角度変形調節が可能な弾性素材または関節型構造でなされる、請求項１に記載のプラズマ及び近赤外線を用いたスキンケア装置。
【請求項６】
前記制御部は、
使用者の皮膚に合うように設定されたパルスパターンまたは出力パターンによって、プラズマパルス及び近赤外線パルスまたはプラズマ及び近赤外線の出力を制御する、請求項１に記載のプラズマ及び近赤外線を用いたスキンケア装置。
【請求項７】
前記制御部は、
使用者の皮膚に合うように設定されたパルスパターンによってプラズマパルスを制御するプラズマパルス制御部；
使用者の皮膚に合うように設定されたパルスパターンによって近赤外線パルスを制御する近赤外線パルス制御部；及び
使用者の皮膚に合うように設定された出力パターンによってプラズマ及び近赤外線出力を制御するプラズマ及び近赤外線出力制御部
を含む、請求項６に記載のプラズマ及び近赤外線を用いたスキンケア装置。
【請求項８】
プラズマ放電または近赤外線照射のための使用者入力を受信し、前記使用者入力に対する結果を表示する使用者インターフェース部
をさらに含む、請求項１に記載のプラズマ及び近赤外線を用いたスキンケア装置。
【発明の詳細な説明】
【技術分野】
【０００１】
本発明は、スキンケア装置に関し、さらに詳細には、プラズマ及び近赤外線のデュアル起電を通して発生したプラズマ及び近赤外線を回転可能な球形体と接触した皮膚に照射することにより、皮膚改善及びリフティング効果を提供できる、プラズマ及び近赤外線を用いたスキンケア装置に関する。
【背景技術】
【０００２】
最近、アンチエイジング（ａｎｔｉ−ａｇｉｎｇ）市場が成長している。アンチエイジングは、老化を医学的に管理し、若さを維持するための種々の治療を意味する。高齢化、容貌重視傾向の深化、所得増大、女性の社会進出拡大等の要因により、関連需要が急増している。
【０００３】
また、スキンケア医療機器市場が成長している。アンチエイジング産業のパラダイムが過去の化粧品中心から高付加価値市場へ期待されている。従って、施術中心の市場に再編されるものと予想されるにつれ、顔面美容市場と共にスキンケア医療機器市場も成長速度が今後加速化するものと推定されている。
これによって、ホームビューティーケア機器（家庭用美容機器）の市場が成長している。
【０００４】
ホームビューティーケア機器の開発が活発になりながら皮膚科等で処置されていた施術の相当数が家庭で代替されるものと見込まれている。ビューティーケア機器は、皮膚を管理し、その状態を維持または保護する機器であって、消費者のニーズが増加している。皮膚施術への需要が増えるにつれ、レーザ等を活用した病院用ビューティーケア機器が溢れ出ている。しかし、依然として、消費者は、病院の施術に対して時間、地域、経済的負担を感じており、ホームビューティーケア機器への需要を触発させている。一般の消費財事業と医療機器事業の特性を同時に持っているホームビューティーケア機器は、今後、個人の合わせ型健康管理等が進行されるにつれ、その市場が漸次拡張されるものと見込まれている。
【０００５】
一方、社会環境が変化するに伴って、女性人口が漸次変化している。スキンケア産業の成長は、女性の増加する社会進出と、それに伴う所得増加と無関係ではない。女性の社会的地位が変わり、自身への投資の概念で美容機器及びサービスを利用することにより、スキンケア関連市場は成長している。今後も、このようなパターンは持続するものと判断される。
【０００６】
次に、ウェルビーイングからウェルネスにトレンドが変化している。ウェルネスの核心は、同じ年齢層の人々よりさらに若く見えたい、健康な体でいたいということである。このようなトレンドの変化により、若さと美しさを追求するアンチエイジング産業が速く成長している。特に、皮膚の状態は、年齢、健康等を示す尺度である。従って、皮膚老化がアンチエイジングの核心と認識されるにつれ、医療施術、機能性化粧品、美容サービス等の産業の成長性が高いものと予想される。
一方、従来のスキンケア機器は、レーザまたは高強度集束超音波を用いたスキンケア機器がある。
【０００７】
先ず、レーザを用いたスキンケア機器は、組織を治療するのに光子（ｐｈｏｔｏｎ）を使用する。このような光子は、組織に反射したり、屈折したり、または発色団に吸収されたりする形態で組織に対する一連の作用をする。適切な作用のために、様々な波長と媒質が用いられることもある。
【０００８】
しかし、レーザを用いたスキンケア機器は、視神経と表皮細胞の基底板に損傷を与える可能性もある。また、このようなスキンケア機器は、炎症または壊死を起こす危険性がある。
【０００９】
また、高強度集束超音波（Ｈｉｇｈ  Ｉｎｔｅｎｓｉｔｙ  Ｆｏｃｕｓｅｄ  Ｕｌｔｒａｓｏｕｎｄ）を用いたスキンケア機器は、皮膚に損傷を与えずに施行する非侵襲的な（ｎｏｎ−ｉｎｖａｓｉｖｅ）施術を遂行する。このようなスキンケア機器は、施術後にも出血がない。しかし、このようなスキンケア機器は、１．５ｍｍ〜４．５ｍｍまで熱凝固点を形成してコラーゲンを再形成させるため、治療効果が単純にリフティングに限定され得る。
一方、レーザ及び超音波以外にプラズマまたは微細電流を用いたスキンケア機器も開発されている。
【００１０】
空気中の水分と酸素等をプラズマ状態に変換し、それを皮膚に浸透させることでコラーゲンの生成を促進し、シワ改善と皮膚弾力を増加させるスキンケア機器が開発されている。
【００１１】
このようなプラズマを用いたスキンケア機器は、一定の面積を通した皮膚接触と作動を可能とする。しかし、このようなスキンケア機器では、プラズマのランダムな面放電とラビング（ＲＵＢＢＩＮＧ）でプラズマが重複して照射され得る。また、一定大きさの接触面により、狭い部位では不便であるという短所がある。
また、微細電流を発生させ、回転ローラを通して顔、ボディーまたは全身ローリングが可能なスキンケア機器が開発されている。
【００１２】
このような微細電流を用いたスキンケア機器は、微細な電流だけで皮膚の新陳代謝活性化を追求する。２つの球形体間ローラの吸着構造であって、マッサージ効果が主要機能となる。頬、額等の広い部位中心では好適に作用するが、狭い部位では不便を感じることがある。
【先行技術文献】
【特許文献】
【００１３】
【特許文献１】大韓民国公開特許公報第１０−２０１６−００１５８９４号（２０１６年２月１５日公開）
【発明の概要】
【発明が解決しようとする課題】
【００１４】
本発明の実施例は、プラズマ及び近赤外線のデュアル起電を通して発生したプラズマ及び近赤外線を回転可能な球形体と接触した皮膚に照射させることにより、皮膚改善及びリフティング効果を提供できる、プラズマ及び近赤外線を用いたスキンケア装置を提供しようとする。
【００１５】
また、本発明の実施例は、従来の面接触構造でないプラズマ放電溝及び近赤外線照射溝それぞれに対して点接触型球形体構造を通して誘電体障壁放電を通したプラズマ及び近赤外線を照射させることにより、従来の面接触構造による皮膚接触や重複照射をフェイスローリングを通して防止できる、プラズマ及び近赤外線を用いたスキンケア装置を提供しようとする。
【００１６】
また、本発明の実施例は、プラズマ及び近赤外線のデュアル起電を通してシワ及び弾力を改善するホームビューティーケア機器として利用され得る、プラズマ及び近赤外線を用いたスキンケア装置を提供しようとする。
【課題を解決するための手段】
【００１７】
本発明の第１側面によると、ハンドヘルド形態の本体部；前記本体部の回転軸と連結されて回転可能であり、球形体の表面に複数のプラズマ放電溝及び複数の近赤外線照射溝が形成された球形体部；前記プラズマ放電溝とそれぞれ対応する誘電体プレート及び電極を備え、前記球形体部が回転しながら接触する皮膚に前記誘電体プレート及び電極に供給された電流による誘電体障壁放電を通して発生したプラズマを放電させるプラズマ放電部；前記近赤外線照射溝と連結された近赤外線光源を備え、前記球形体部が回転しながら接触する皮膚に前記近赤外線光源から発生した近赤外線を前記近赤外線照射溝を通して照射する近赤外線照射部；前記プラズマ放電部でのプラズマ放電と前記近赤外線照射部での近赤外線照射を制御する制御部；及び電源を供給する電源部を含むプラズマ及び近赤外線を用いたスキンケア装置が提供され得る。
【００１８】
前記球形体部は、既設定されたプラズマ発生条件に符合する深さを有する複数のプラズマ放電溝が球形体の表面に形成された少なくとも一対の球形体を含むことができる。
【００１９】
前記球形体部は、前記少なくとも一対の球形体の間に位置し、前記本体部の回転軸と連結されて回転可能であり、複数のプラズマ放電溝及び複数の近赤外線照射溝が形成された少なくとも一つの他の球形体をさらに含むことができる。
前記球形体部の球形体の表面が複数の縁層に区分され、前記区分された複数の縁層毎に複数のプラズマ放電溝がそれぞれ形成され得る。
前記本体部の回転軸と連結された前記球形体部の部分は、角度変形調節が可能な弾性素材または関節型構造でなされ得る。
【００２０】
前記制御部は、使用者の皮膚に合うように設定されたパルスパターンまたは出力パターンによって、プラズマパルス及び近赤外線パルスまたはプラズマ及び近赤外線の出力を制御することができる。
【００２１】
前記制御部は、使用者の皮膚に合うように設定されたパルスパターンによってプラズマパルスを制御するプラズマパルス制御部；使用者の皮膚に合うように設定されたパルスパターンによって近赤外線パルスを制御する近赤外線パルス制御部；及び使用者の皮膚に合うように設定された出力パターンによってプラズマ及び近赤外線出力を制御するプラズマ及び近赤外線出力制御部を含むことができる。
【００２２】
前記装置は、プラズマ放電または近赤外線照射のための使用者入力を受信し、前記使用者入力に対する結果を表示する使用者インターフェース部をさらに含むことができる。
【発明の効果】
【００２３】
本発明の実施例は、プラズマ及び近赤外線のデュアル起電を通して発生したプラズマ及び近赤外線を回転可能な球形体と接触した皮膚に照射させることにより、皮膚改善及びリフティング効果を提供することができる。
【００２４】
また、本発明の実施例は、従来の面接触構造でないプラズマ放電溝及び近赤外線照射溝それぞれに対して点接触型球形体構造を通して誘電体障壁放電を通したプラズマ及び近赤外線を照射させることにより、従来の面接触構造による皮膚接触や重複照射をフェイスローリングを通して防止することができる。
また、本発明の実施例は、プラズマ及び近赤外線のデュアル起電を通してシワ及び弾力を改善するホームビューティーケア機器として利用され得る。
【図面の簡単な説明】
【００２５】
【図１】本発明の実施例に係るプラズマ及び近赤外線を用いたスキンケア装置の構成図である。
【図２】本発明の実施例に係るプラズマ及び近赤外線を用いたスキンケア装置の下側、側面、上側を示した図である。
【図３】本発明の実施例に係る球形体部におけるプラズマ放電及び赤外線照射構造についての説明図である。
【図４】本発明の実施例に係る球形体部の内部断面図である。
【図５】本発明の実施例に係るプラズマ放電部の誘電体プレート及び電極に対する構造図である。
【図６】本発明の実施例に係る制御部により制御されるパルス幅変調制御波形に対するグラフである。
【図７】本発明の実施例に係るプラズマ及び近赤外線を用いたスキンケア装置のローラ動作を示した説明図である。
【発明を実施するための形態】
【００２６】
以下、本発明の実施例を、添付の図面を参照して説明する。本発明に係る動作及び作用を理解するのに必要な部分を中心に詳細に説明する。本発明の実施例を説明しながら、本発明の属する技術の分野によく知られ、本発明と直接的に関連のない技術内容については説明を省略する。それは、不要な説明を省略することにより、本発明の要旨を濁すことなくさらに明確に伝達するためである。
【００２７】
また、本発明の構成要素を説明するにあたって、同一の名称の構成要素に対し、図面によって異なる参照符号を付与することもあり、互いに異なる図面であるにもかかわらず、同一の参照符号を付与することもある。しかし、このような場合であっても、該当構成要素が実施例によって互いに異なる機能を持つということを意味するか、または互いに異なる実施例において同一の機能を持つということを意味するものではなく、それぞれの構成要素の機能は、該当実施例におけるそれぞれの構成要素についての説明に基づいて判断すべきである。
図１は、本発明の実施例に係るプラズマ及び近赤外線を用いたスキンケア装置の構成図である。
【００２８】
本発明の実施例に係るプラズマ及び近赤外線を用いたスキンケア装置１００は、プラズマ及び近赤外線光源のデュアル起電（Ｄｕａｌ  ｅｌｅｃｔｒｉｃ  ｇｅｎｅｒａｔｉｏｎ）を含んでいる。
【００２９】
本発明の実施例に係るスキンケア装置１００は、空気中のイオン化された物質を利用して、適宜制御され、集中された状態のプラズマ起電を通して表皮層部分に対する美容的施術を遂行することができる。ここで、表皮層は、細胞が生成される領域を示す。
【００３０】
また、本発明の実施例に係るスキンケア装置１００は、近赤外線領域の光源を通して光の波長を真皮層まで浸透させ、一般細胞だけでなく、コラーゲン損傷の回復と共に皮膚を再生させて皮膚トーンを改善し、シワ改善及び皮膚損傷を誘発する酵素を不活性化させることができる。ここで、真皮層は、コラーゲンとエラスチンを生成する領域を示す。
【００３１】
このように、本発明の実施例に係るスキンケア装置１００は、デュアル起電を含む球形体のプラズマスキンボールを通して皮膚のシワ改善及びリフティング効果を極大化するホームビューティーケア機器に関する。このようなスキンケア装置１００は、プラズマスキンボール（Ｐｌａｓｍａ  ｓｋｉｎ  ｂａｌｌ）を用いたフェイスローラ（ｆａｃｅ  ｒｏｌｌｅｒ）形態のホームビューティーケア装置（ｈｏｍｅ  ｂｅａｕｔｙ−ｃａｒｅ  ａｐｐａｒａｔｕｓ）として利用され得る。
【００３２】
図１に示されたように、本発明の実施例に係るプラズマ及び近赤外線を用いたスキンケア装置１００は、本体部１１０、球形体部１２０、プラズマ放電部１３０、近赤外線照射部１４０、制御部１５０、使用者インターフェース部１６０及び電源部１７０を含む。
以下、図１のプラズマ及び近赤外線を用いたスキンケア装置１００の各構成要素の具体的な構成及び動作を説明する。
【００３３】
本体部１１０は、使用者が施術時にケーブルの連結なしに施術できるハンドヘルド形態でなされる。本体部１１０は、球形体部１２０と連結され、球形体部１２０を支持する機能を果たす。
【００３４】
球形体部１２０は、本体部１１０の回転軸と連結されて回転可能である。球形体部１２０は、球形体の表面に形成された複数のプラズマ放電溝１２４及び複数の近赤外線照射溝１２５を備える。
【００３５】
そして、プラズマ放電部１３０は、プラズマ放電溝１２４とそれぞれ対応する誘電体プレート１３１及び電極１３２を備える。プラズマ放電部１３０は、誘電体プレート１３１及び電極１３２による誘電体障壁放電を通してプラズマを球形体部１２０が回転しながら接触する皮膚に放電させる。
【００３６】
また、近赤外線照射部１４０は、近赤外線照射溝１２５と連結された近赤外線光源を備える。近赤外線照射部１４０は、近赤外線光源から発生した近赤外線を近赤外線照射溝１２５を通して球形体部１２０が回転しながら接触する皮膚に照射する。
ここで、本発明の実施例に係るプラズマ起電及び近赤外線起電について検討する。
【００３７】
プラズマ放電部１３０は、空気中の水分と酸素等をプラズマ状態に変換する。プラズマ放電部１３０は、これを皮膚に速く、効果的に浸透させることにより、コラーゲンの生成を促進してシワ改善と皮膚弾力増加に役立つことができる。
【００３８】
プラズマ放電部１３０は、皮膚を暗くするメラニン色素の合成を抑制し、皮膚トーンを明るくすることができる。また、プラズマは、紫外線より強力な３５００度の高温と類似した殺菌力を発揮し、これを皮膚に安全に適用させることにより、皮膚のトラブル改善に役立つことができる。
【００３９】
このようなプラズマの原理を簡略に検討すると、プラズマ放電部１３０は、空気中のイオンを利用して微細プラズマを生成する。そして、プラズマ放電部１３０は、これを利用して表層の繊維組織を昇華させることができる。
このようなプラズマは、医学的に殺菌効果、傷治癒促進、止血作用、皮膚のシワと色素疾患の治療、歯のホワイトニング治療及び癌治療等に応用され得る。
【００４０】
一方、近赤外線照射部１４０で照射される近赤外線は、太陽から出る種々の光の中で波長が７６０〜１５００ｎｍである光を示す。この中で人体に有用な波長である６３０ｎｍは、人体に無害であり、高出力レーザ（ｌａｓｅｒ）が局所的な面積に集中的に治療することとは異なり、適切な光出力で広い面積の疾患部位を効果的に治療することができる。
【００４１】
ここで、近赤外線光源は、細胞間の光−生化学反応を誘導することにより作用する。このような近赤外線は、医学的に傷治癒、炎症治癒、皮膚リハビリ、太陽光による火傷防止及び光力動療法に応用され得る。
【００４２】
一方、電源部１７０は、ハンドヘルド形態のスキンケア装置１００の各構成要素に電源を供給する。電源部１７０は、プラズマ放電及び近赤外線照射のために必要な電源を貯蔵し、各構成要素に供給することができる。
【００４３】
電源部１７０は、必要な電源（例えば、外部電源またはバッテリー電源）の供給を受けることができる。また、電源部１７０は、充電回路を通してバッテリー充電を提供することができる。また、スキンケア装置１００は、電線や電気的連結なしに充電され、独立した装置として利用され得る。一例として、電源部１７０は、外部電源部１７１またはバッテリー充電部１７２を含むことができる。
【００４４】
使用者インターフェース部１６０は、プラズマ放電または近赤外線照射のための使用者入力を受信する。使用者インターフェース部１６０は、使用者からプラズマ放電及び近赤外線照射の設定命令や操作命令（例えば、電源のオン及びオフ、モード変更等）の入力を受ける。
【００４５】
そして、使用者インターフェース部１６０は、使用者入力に対する結果を表示する。使用者インターフェース部１６０は、使用者にプラズマ放電及び近赤外線照射と関連した動作情報や状態情報（例えば、プラズマ放電及び近赤外線照射状態、出力状態等）を表示することができる。また、使用者インターフェース部１６０は、制御部１５０の制御によって未接触警告を使用者に報知することができる。
【００４６】
図１に示されたように、使用者インターフェース部１６０は、キー制御部１６１及びディスプレイ部１６２を含むことができる。キー制御部１６１は、使用者から入力されたキー入力を通してシステムを設定するか、または近赤外線レベル、プラズマ出力等の設定を遂行することができる。また、ディスプレイ部１６２は、このようなキー入力によるシステムの状態または設定結果をディスプレイすることができる。ディスプレイ部１６２は、プラズマ出力強度、機器の動作状態を備えられたＬＥＤインジケータ（Ｌｅｄ  ｉｎｄｉｃａｔｏｒ）を通して表示し、使用者が確認できるようにする。
【００４７】
一方、制御部１５０は、プラズマ放電部１３０及び近赤外線照射部１４０を制御する。これによって、制御部１５０は、プラズマ放電部１３０で放電されるプラズマ放電及び近赤外線照射部１４０で照射される近赤外線照射を制御する。制御部１５０は、使用者の皮膚に合うように設定されたパルスパターンまたは出力パターンによってプラズマ及び近赤外線パルスとプラズマ及び近赤外線の出力を制御する。ここで、パルスパターンは、プラズマパルス及び近赤外線パルスの間隔や周期等が既設定された条件によって組み合わせられて発生するパターンであってよい。出力パターンは、弱、中間、強の出力が既設定された条件によって組み合わせられて出力されるパターンであってよい。
【００４８】
図１に示されたように、このような制御部１５０は、第１パルス制御部１５１、第２パルス制御部１５２及び出力制御部１５３を含むことができる。制御部１５０は、スキンケア装置１００にエンベディングされた処理部（Ｅｍｂｅｄｄｅｄ  Ｐｒｏｃｅｓｓｉｎｇ  Ｕｎｉｔ）で全体動作を制御する機能を果たす。
【００４９】
第１パルス制御部１５１は、使用者の皮膚に合うように設定されたパルスパターンによってプラズマパルスを制御し、プラズマ放電部１３０で放電されるプラズマを制御する。
【００５０】
また、第２パルス制御部１５２は、使用者の皮膚に合うように設定されたパルスパターンによって近赤外線パルスを制御し、近赤外線照射部１４０で照射される近赤外線パルスを制御する。
【００５１】
このような第１及び第２パルス制御部１５１、１５２は、パルス幅変調（ＰＷＭ：Ｐｕｌｓｅ  Ｗｉｄｔｈ  Ｍｏｄｕｌａｔｉｏｎ）を通して精密な電流制御で使用者の皮膚に合う様々なアルゴリズムによりプラズマパルス及び近赤外線パルスを制御することができる。
【００５２】
出力制御部１５３は、使用者の皮膚に合うように設定された出力パターンによってプラズマ及び近赤外線出力を制御する。出力制御部１５３は、プラズマ及び近赤外線の出力を制御する。出力制御部１５３は、皮膚の適応性を高めるために、プラズマ及び近赤外線の出力を段階別に設定することができる。これは、使用者の様々な皮膚状態に合わせるためである。出力制御部１５３は、様々な出力形態を提供することにより、使用者の環境に合う出力パターンを生成することができる。
【００５３】
一例として、制御部１５０は、プラズマ電流刺激（波形）のパターン機能を適用するようにプラズマ放電部１３０及び近赤外線照射部１４０を制御することができる。制御部１５０は、プラズマの出力制御を通した様々な応用アルゴリズムによってプラズマ放電部１３０及び近赤外線照射部１４０を制御することができる。
【００５４】
このように、制御部１５０は、様々な使用者の皮膚厚さ及び感覚に応じて使用できるように、電流刺激パターンを各使用者に合うように多様に発生させることができる。例えば、制御部１５０は、漸進的にプラズマまたは近赤外線の出力を増加させ、使用者が自身の皮膚に適したレベルに達すると、使用者インターフェース部１６０を通した設定入力を通して出力を維持するように制御することができる。
図２は、本発明の実施例に係るプラズマ及び近赤外線を用いたスキンケア装置の下側、側面、上側を示した図である。
【００５５】
本発明の実施例に係るスキンケア装置１００は、フェイスリフティングのために回転するボール形態にプラズマ及び近赤外線のデュアル起電が同時に発生（照射）されるようにする。ここで、ボール形態の球形体１２１〜１２３を、プラズマスキンボール（Ｐｌａｓｍａ  ｓｋｉｎ  ｂａｌｌ）と称することができる。
【００５６】
プラズマ放電部１３０に備えられた誘電体プレート１３１及び電極１３２は、回転するプラズマスキンボールの内部に位置し、誘電体障壁放電を通してプラズマを発生させる。ここで、誘電体プレート１３１は、誘電体障壁放電に利用され、このようなプラズマ起電による誘電体障壁放電は、皮膚の熱損傷を防止することができる。
【００５７】
ここで、プラズマ及び近赤外線が同時に同じ部位に発生しないように、プラズマスキンボールである球形体の皮膚接触角度は、人体工学的に設計されている。これは、効果的に皮膚を改善するためである。
【００５８】
図２に示されたように、球形体部１２０は、少なくとも一対の球形体１２１及び１２２を含む。少なくとも一対の球形体１２１及び１２２は、本体部１１０の回転軸と連結されている。ここで、本体部１１０の回転軸と連結された球形体部１２０の支持部は、角度変形調節が可能な弾性素材または関節型構造でなされ得る。
【００５９】
一方、球形体部１２０は、備えられた少なくとも一対の球形体１２１及び１２２の間に位置する少なくとも一つの他の球形体１２３をさらに含むことができる。ここで、他の球形体１２３には、本体部１１０の回転軸と連結されて回転可能であり、球形体の表面に複数のプラズマ放電溝１２４及び複数の近赤外線照射溝１２５が形成されている。
【００６０】
これまで、図２を参照して、本発明の実施例のうち、一対の球形体１２１及び１２２とその間の他の球形体１２３を備えた球形体部１２０を説明した。しかし、これは、本発明の理解と説明の便宜を図るための一実施例に過ぎず、本発明は、これに限定されない。
例えば、図２の球形体部１２０は、一対の球形体１２１及び１２２とその間の他の球形体１２３以外に、他の対の球形体とさらに他の球形体を含むことができる。
【００６１】
例えば、図２の球形体部１２０は、プラズマ放電溝１２４及び近赤外線照射溝１２５が形成された球形体を含むものと説明したが、各球形体は、個別的にプラズマ放電溝１２４または近赤外線照射溝１２５が形成され得る。即ち、いずれか一つの球形体には、プラズマ放電溝１２４だけが形成され、近赤外線照射溝１２５が形成されていないか、または近赤外線照射溝１２５だけが形成され、プラズマ放電溝１２４が形成されていなくてもよい。
【００６２】
一方、本体部１１０には、モードを表示するモード表示ＬＥＤ１６３、モードを選択するモードボタン１６４、電源をオン（ＯＮ）またはオフ（ＯＦＦ）する電源ボタン１６５が含まれる。
図３は、本発明の実施例に係る球形体部におけるプラズマ放電及び赤外線照射構造についての説明図である。
【００６３】
図２に示された球形体部１２０は、図３に示されたように、複数のプラズマ放電溝１２４及び近赤外線照射溝１２５が形成された少なくとも一対の球形体１２１及び１２２を含む。
【００６４】
このような少なくとも一対の球形体には、それぞれプラズマ発生条件によって既設定された深さを有する複数のプラズマ放電溝１２４が球形体の表面に形成されている。
複数のプラズマ放電溝１２４を具体的に検討すると、複数の縁層に区分された複数のプラズマ放電溝２１０〜２１３が球形体の表面に形成されている。
【００６５】
図３には、プラズマ放電溝縁１〜３（２１１〜２１３）が形成されており、球形体の上部には、プラズマ放電溝１２４峰２１０が形成されている。ここで、プラズマ放電溝縁は、円形でなされているが、球形体の表面の特定位置や特定形状に限定されない。また、プラズマ放電溝縁は、プラズマ放電溝縁１〜３（２１１〜２１３）が形成されているが、様々な個数、位置にプラズマ放電溝１２４が形成され得る。
【００６６】
一例として、制御部１５０は、プラズマ放電溝縁１〜３（２１１〜２１３）の中で使用者の皮膚に合うように設定されたプラズマ放電溝縁を通してプラズマ放電がなされるようにプラズマ放電部１３０を制御することができる。
【００６７】
他の例として、制御部１５０は、各プラズマ放電溝縁の中で一定間隔毎に位置したプラズマ放電溝１２４（例えば、奇数番目または偶数番目のプラズマ放電溝）を通してプラズマ放電がなされるようにプラズマ放電部１３０を制御することができる。
【００６８】
さらに他の例として、制御部１５０は、近赤外線照射溝１２５縁の中で一定間隔毎に位置した近赤外線照射溝１２５（例えば、奇数番目または偶数番目の近赤外線照射溝）を通して近赤外線照射がなされるように近赤外線照射部１４０を制御することができる。
【００６９】
プラズマ放電部１３０は、プラズマ起電を利用して球形体であるプラズマスキンボールの接触面が皮膚に接触するとき、空気中の物質をイオン化して小さな稲妻のようなエネルギーを生成させて皮膚のシワ治療をするようにする。ここで、プラズマスキンボールである球形体は、使用者のフェイスローラ形態であってよい。
【００７０】
また、近赤外線光源（例えば、６３０ｎｍ）は、毛細血管の線維芽細胞に吸収されて皮膚の活性を促進し、弾力のある皮膚に再生させる機能を果たす。近赤外線光源は、熱を発生させることなく、光エネルギーだけを当てるため、皮膚に損傷を与えずに皮膚治療を可能とする。
【００７１】
一例として、使用者が顔の皮膚を治療する場合、スキンケア装置１００は、フェイスリフティングのために、回転するボール形態の球形体１２１〜１２３にプラズマと近赤外線のデュアル起電が同時に発生（照射）されるようにする。
【００７２】
スキンケア装置１００は、セラミック材質の誘電体プレート１３１が回転する球形体１２１〜１２３の内部に位置し、プラズマ起電による皮膚の熱損傷を防止することができる。
図４は、本発明の実施例に係る球形体部の内部断面図である。
図４に示されたように、プラズマ放電部１３０は、誘電体プレート１３１及び電極１３２を備える。
【００７３】
ここで、誘電体プレート１３１は、球形体の表面に形成されたプラズマ放電溝１２４と対応して位置する。また、電極１３２は、誘電体プレート１３１と連結されており、球形体の内部に設けられる。
【００７４】
プラズマ放電溝１２４は、複数の縁層に区分された球形体の表面に形成されている。これによって、電極１３２は、各プラズマ放電溝縁毎に電極縁に設けられる。このとき、全体電極縁が中央のメイン電極と連結される。
変形例として、各電極縁は、制御部１５０の制御によって個別的に電源をオン（ＯＮ）またはオフ（ＯＦＦ）させることができる。
近赤外線照射部１４０は、近赤外線光源である近赤外線ランプ１４１及び導光板１４２を備える。
【００７５】
ここで、近赤外線ランプ１４１は、近赤外線を発生させる。そして、その発生した近赤外線は、導光板１４２を通して各近赤外線照射溝１２５まで伝達され、近赤外線照射溝１２５を通して照射されることとなる。
図５は、本発明の実施例に係るプラズマ放電部の誘電体プレート及び電極に対する構造図である。
【００７６】
図５に示されたように、プラズマ放電部１３０の誘電体プレート１３１及び電極１３２は、球形体部１２０の少なくとも一対の球形体の内部に位置するようになる。
【００７７】
球形体は、本体部１１０の回転軸と連結され、使用者がスキンケア装置１００を皮膚１０１に接触しながら移動させると、回転するようになる。球形体部１２０が回転しながら接触する皮膚１０１を検討すると、プラズマ放電部１３０の誘電体プレート１３１及び電極１３２は、制御部１５０の制御によってメイン電極１３２を通して供給される電流により誘電体障壁放電が発生する。
そして、誘電体障壁放電を通して生成されたプラズマは、球形体と接触する使用者の皮膚に放電するようになる。
図６は、本発明の実施例に係る制御部により制御されるパルス幅変調制御波形に対するグラフである。
図６に示されたように、制御部１５０は、パルス幅変調（ＰＷＭ：Ｐｕｌｓｅ  Ｗｉｄｔｈ  Ｍｏｄｕｌａｔｉｏｎ）を通して精密な電流制御を遂行する。
【００７８】
一例として、制御部１５０は、弱（ｓｏｆｔ）、中間（ｍｅｄｉｕｍ）、強（Ｈａｒｄ）の３段階によるパルス幅変調を通して電流を制御することができる。制御部１５０は、パルス幅変調のパルス幅を可変させて３段階に区分し、プラズマパルスまたは近赤外線パルスを制御することができる。
制御部１５０は、このようなパルス幅変調を通して電流を精密に制御し、使用者の皮膚に合う様々なアルゴリズムを遂行することができる。
図７は、本発明の実施例に係るプラズマ及び近赤外線を用いたスキンケア装置のローラ動作を示した説明図である。
【００７９】
図７に示されたように、本発明の実施例に係るプラズマ及び近赤外線を用いたスキンケア装置１００は、使用者が本体部１１０を手で取って球形体１２１〜１２３を皮膚に接触させる。
球形体が使用者の皮膚に接触しながら移動するようになると、図７のように、一対の球形体は、使用者の皮膚と接触しながら回転するようになる。
これによって、スキンケア装置１００は、２つの球形体のローリングによる吸着マッサージ領域にプラズマ放電及び近赤外線照射を遂行するようになる。
例えば、他の球形体は、目蓋、目じり、ほうれい線、口の周り等の狭い部位に利用され得る。また、３つの球形体は、同時に使用可能である。
【００８０】
本体部１１０の回転軸と連結された球形体部１２０の連結部分は、角度変形調節が可能なアーム（ＡＲＭ）形態で連結される。例えば、このような連結部分は、弾性素材または関節型構造であってよい。
一方、本発明の実施例に係るスキンケア装置１００は、プラズマによる臨床的効果を倍加させることができる。
【００８１】
本発明の実施例に係るスキンケア装置１００は、２つの球形体によるマッサージ作用とプラズマ及び近赤外線を使用者の接触皮膚に発生させることができる。また、本発明の実施例に係るスキンケア装置１００は、３つの球形体を通して広い部位の他に狭い部位でも同一の機能を果たすことができる。
【００８２】
本発明の実施例に係るスキンケア装置１００は、従来の面接触構造でないプラズマ放電溝１２４及び近赤外線照射溝１２５それぞれに対して点接触型球形体でなされ、皮膚と接触するか、ローリングによる重複照射を防止することができる。
一方、本発明の実施例に係るスキンケア装置１００の作動過程を検討すると、次のとおりである。
先ず、スキンケア装置１００は、使用者が電源をつけると、プラズマ放電のための製品準備を遂行する。
【００８３】
スキンケア装置１００は、皮膚接触によりフォトセンサが感知して、プラズマ放電を遂行する。このとき、使用者の皮膚と非接触時は、プラズマ放電部１３０の電源がオフ（ＯＦＦ）となる。
【００８４】
プラズマ放電周期は、自然にこする形態のために指定され得る。プラズマ放電部１３０は、従来のレーザの光（高熱）エネルギーとは異なり、イオンによって皮膚内に分子単位で浸透するか、または皮膚壊死なしに角質細胞分解、殺菌、線維芽細胞刺激でコラーゲンの再生を遂行する。
【００８５】
一例として、スキンケア装置１００は、過度な使用を制限するために、１０分経過時に自動電源で電源をオフ（ＯＦＦ）する構造でなされる。このとき、電源のオフ機能は、１回使用を基準にすることができる。
製品使用終了後、皮脂腺の異物接触による製品の汚染状態をクリーニング及び保管するようになる。
一方、近赤外線について検討する。
近赤外線は、プラズマ放電が皮膚接触時に遂行されると、近赤外線照射部１４０も同時に点灯されて動作することとなる。
【００８６】
このような近赤外線は、６３０ｎｍの赤色波長が線維芽細胞に吸収されて皮膚の新陳代謝活性化を促進することにより、血液循環と皮膚への栄養供給を図るようになる。
このとき、プラズマ放電動作がオフ（ＯＦＦ）であるとき、近赤外線照射動作もオフ（ＯＦＦ）となる。
【００８７】
皮膚をリフティングするためのローラ形態の球形体は、デュアル起電をプラズマスキンボールをもって、皮膚のシワ改善及びリフティング効果を極大化することができる。
【００８８】
一方、本発明の実施例に係るスキンケア装置１００は、ホームビューティーケア機器であって、シワ及び弾力を改善する機器として利用され得る。また、このようなスキンケア装置１００は、皮膚の改善を助ける機器として利用され得る。
【００８９】
このように、本発明の実施例に係るスキンケア装置１００は、プラズマ及び近赤外線のデュアル起電を利用して皮膚のシワを改善しながらも、フェイスローラ形態の球形体を通してリフティング効果を極大化することができる。
【００９０】
以上において説明した実施例は、その一例であって、本発明の属する技術の分野における通常の知識を有する者であれば、本発明の本質的な特性を外れない範囲で様々な修正及び変形が可能であるだろう。従って、本発明に開示された実施例は、本発明の技術思想を限定するためのものではなく、説明するためのものであり、このような実施例によって本発明の技術思想の範囲が限定されるものではない。本発明の保護範囲は、下記の請求の範囲によって解釈されるべきであり、それと同等な範囲内にある全ての技術思想は、本発明の権利範囲に含まれるものと解釈されるべきである。
【符号の説明】
【００９１】
１００：スキンケア装置
１１０：本体部
１２０：球形体部
１３０：プラズマ放電部
１３１：誘電体プレート
１３２：電極
１４０：近赤外線照射部
１４１：近赤外線ランプ
１５０：制御部
１５１：第１パルス制御部
１５２：第２パルス制御部
１５３：出力制御部
１６０：使用者インターフェース部
１６１：キー制御部
１６２：ディスプレイ部
１７０：電源部
１７１：外部電源部
１７２：バッテリー充電部
【図１】
2018000921.tif 000003
【図２】
2018000921.tif 000004
【図３】
2018000921.tif 000005
【図４】
2018000921.tif 000006
【図５】
2018000921.tif 000007
【図６】
2018000921.tif 000008
【図７】
2018000921.tif 000009